(57)【要約】【課題】  この発明は、操作部で設定した設定内容を携帯型電話機に登録することにより、携帯型電話機に登録した設定内容を複数台の複写機に対して設定させることが可能となる画像形成装置を提供することを目的とする。【解決手段】  操作部によって設定した設定内容に応じた二次元コードを生成して、携帯型電話機に送信する手段、携帯型電話機に表示された二次元コードを読み取るための二次元コード読み取り手段、および二次元コード読み取り手段によって読み取られた二次元コードに対応した設定内容を、自動的に設定する手段を備えている。【選択図】  図１
2006067339.tif 000002
【特許請求の範囲】
【請求項１】
操作部によって設定した設定内容に応じた二次元コードを生成して、携帯型電話機に送信する手段、
携帯型電話機に表示された二次元コードを読み取るための二次元コード読み取り手段、および
二次元コード読み取り手段によって読み取られた二次元コードに対応した設定内容を、自動的に設定する手段、
を備えていることを特徴とする画像形成装置。
【発明の詳細な説明】
【技術分野】
【０００１】
この発明は、複写機、複写機能の他にＦＡＸ機能等を備えた複合機等の画像形成装置に関する。
【背景技術】
【０００２】
複写機として、操作部で設定した設定内容を、ショートカットキーに対応させて登録しておくといった機能（設定内容登録機能）を備えたものがある。設定内容登録機能によって登録された内容は、操作画面上に表示されるショートカットキーを押すことによって、呼び出すことが可能である。このため、ユーザは複雑な操作を行うことによって得られる設定内容を、設定内容登録機能によって登録しておくことにより、その設定内容と同じ設定内容でコピーを行う際の操作が簡単となる。
【０００３】
しかしながら、複数台の複写機が存在する場合には、各複写機毎に設定内容登録機能による登録を行う必要がある。
【特許文献１】特開平６−２８５０７号公報
【発明の開示】
【発明が解決しようとする課題】
【０００４】
この発明は、操作部で設定した設定内容を携帯型電話機に登録することにより、携帯型電話機に登録した設定内容を複数台の複写機に対して設定させることが可能となる画像形成装置を提供することを目的とする。
【課題を解決するための手段】
【０００５】
請求項１に記載の発明は、操作部によって設定した設定内容に応じた二次元コードを生成して、携帯型電話機に送信する手段、携帯型電話機に表示された二次元コードを読み取るための二次元コード読み取り手段、および二次元コード読み取り手段によって読み取られた二次元コードに対応した設定内容を、自動的に設定する手段を備えていることを特徴とする。
【発明の効果】
【０００６】
この発明によれば、操作部で設定した設定内容を携帯型電話機に登録することにより、携帯型電話機に登録した設定内容を複数台の複写機に対して設定させることが可能となる。
【発明を実施するための最良の形態】
【０００７】
以下、図面を参照して、この発明を複写機に適用した場合の実施例について説明する。
【実施例１】
【０００８】
図１は、デジタル複写機の概略構成を示している。
【０００９】
デジタル複写機１は、スキャナ部１０と、制御部２０と、ハードディスク（ＨＤＤ）３０と、画像形成部４０と、ユーザ操作部５０とを備えている。スキャナ部１０は、原稿送り装置（ＤＦ）１１と、スキャナ１２と、画像読み取りＣＣＤ１３とを備えている。制御部２０は、ＣＰＵ、ＲＯＭ、ＲＡＭ等を備えている。
【００１０】
画像形成部４０は、レーザスキヤンユニット（ＬＳＵ）４１と、感光体ドラム等を含む静電複写機構とを備えている。ユーザ操作部５０は、テンキー、スタートボタン、割り込ボタン等の各種キーを含むキー入力部５１と、タッチパネルを備えた液晶表示部５２と、ＬＥＤ表示部５３と、二次元コード読取部５４と、二次元コード読取開始ボタン５５と、二次元コード作成モードボタン５６と、二次元コード送出用の赤外線送信部５７とを備えている。
【００１１】
原稿送り装置（ＤＦ）１１によって図示しないコンタクトガラス上に送られた原稿はスキャナ１２によって光学的に走査され、画像読み取りＣＣＤ１３によって原稿画像が読み取られる。画像読み取りＣＣＤ１３によって読み取られた原稿画像は、制御部２０を介して、ＨＤＤ３０に格納される。ＨＤＤ３０に格納された画像データは制御部２０を介してＬＳＵ４１に送られる。ＬＳＵ４１は、送られてきた画像データにしたがってレーザ光を発生し、それを変調・偏向して感光体上に静電潜像パターンを形成する。
【００１２】
この複写機では、二次元コード作成モードにおいて、ユーザが設定した設定内容を、二次元コード化することが可能であるとともに、作成した二次元コード（画像情報）とそれに対応する設定内容を表す文字情報とを赤外線送信部５７を介して、赤外線送受信機能を備えた携帯型電話機に赤外線送信することが可能である。
【００１３】
一方、携帯型電話機２は、受信した二次元コード（画像情報）とそれに対応する設定内容を表す文字情報とを記憶装置に記憶する機能を備えている。なお、携帯型電話機２は、複数種類の二次元コード（画像情報）とそれに対応する設定内容を表す文字情報とを、互いに区別して記憶装置に記憶できる機能を備えている。
【００１４】
また、携帯型電話機２は、記憶装置に記憶された複数種類の二次元コード（画像情報）から、携帯型電話機２のユーザが希望するものを選択できるように、各二次元コードに対応する設定内容を、携帯型電話機の表示器にリスト表示する機能も備えている。そして、このリスト表示からユーザが希望の設定内容を選択すると、選択した設定内容に対応した二次元コードが記憶装置から読み出されて、携帯型電話機２の表示器に表示される。
【００１５】
携帯型電話機２の表示器に二次元コードが表示されている状態において、その表示面をデジタル複写機１の二次元コード読取部５４に当て、二次元コード読取開始ボタン５５を押すと、携帯型電話機２の表示器に表示されている二次元コードが二次元コード読取部５４によって読み取られ、読み取られた二次元コードに対応する設定内容と同じ内容がデジタル複写機１に自動的に設定される。
【００１６】
以下、二次元コードを作成する際の、ユーザの操作およびデジタル複写機の動作について説明する。
【００１７】
デジタル複写機１の操作部５０上の二次元コード作成モードボタン５６をユーザが押すと、動作モードが二次元コード作成モードとなり、図２に示すような、二次元コード化のための機能選択画面が液晶表示部５２に表示される。
【００１８】
機能選択画面は、画面上に表示されるスクロールボタンにより、上下左右にスクロール可能となっている。機能選択画面には、各種の複写機能設定を行うための複数の機能選択ボタンと、２次元コード作成ボタン１０１とが表示される。
【００１９】
ユーザは、機能選択ボタンを選択操作することにより、所望の複写機能設定を行う。機能選択画面の右側には、選択された機能が表示される。図２の例では、Ａ４をＡ３に拡大する倍率での拡大機能（拡大／縮小（Ａ４→Ａ３）、両面原稿の裏表の画像を記録紙の片面に集約（２  ｉｎ  １）で印刷する機能（両面／分割（２分割））およびＡ４サイズ短辺側にパンチ穴をあける機能（パンチ穴：Ａ４サイズ短辺側）が選択されている。
【００２０】
この後、ユーザが２次元コード作成ボタン１０１を押すと、図３に示すように、選択された機能（設定内容）とともに、その設定内容に対応した二次元コードが液晶表示部５２に表示される。この画面（二次元コード表示画面）には、送信ボタンとやり直しボタンとも表示されている。ユーザは、作成された二次元コードを自己の携帯型電話機２に登録させたい場合には、携帯型電話機２を赤外線受信モードに設定し、デジタル複写機１の赤外線送信部５７に携帯型電話機２の赤外線受光部を対向させた後、二次元コード表示画面上の送信ボタンを押す。
【００２１】
すると、二次元コード表示画面上の二次元コード（画像情報）と、それに対応する設定内容を示す文字情報とが、赤外線送信部５７から送信され、携帯型電話機２によって受信されて登録される。
【図面の簡単な説明】
【００２２】
【図１】複写機の構成を示すブロック図である。
【図２】機能選択画面の一例を示す模式図である。
【図３】二次元コード表示画面の一例を示す模式図である。
【符号の説明】
【００２３】
１０  スキャナ部
２０  制御部
３０  ハードディスク（ＨＤＤ）
４０  画像形成部
５０  ユーザ操作部
５１  キー入力部
５２  液晶表示部
５３  ＬＥＤ表示部
５４  二次元コード読取部
５５  二次元コード読取開始ボタン
５６  二次元コード作成モードボタン
５７  赤外線送信部
【図１】
2006067339.tif 000003
【図２】
2006067339.tif 000004
【図３】
2006067339.tif 000005